(57)【要約】【課題】高周波領域で優れたＲＣＳ特性と、十分な剛性とを備え、安価に製造することが出来る電波計測用支持台、及びその支持台の製造方法及び電波計測用支持台の製造用モールドを提供する。【解決手段】１はベース２上に所定の傾斜角度αに傾斜させて設置した支持台本体、３は支持台本体の上端部に取付けられた回転体または供試体の取付台を示し、Ｘは電波の到来方向を示している。支持台本体１は、例えば、炭素繊維強化プラスチックまたはガラス繊維強化プラスチックに導電塗料を塗布した導電性材料により一体的に形成され、その断面形状は、支持台中心軸Ｙ−Ｙと直交する平面Ｓ−Ｓで、オージャイブ断面形状（略船型状）Ａとなる筒状体に形成すると共に、該オージャイブ断面形状Ａは、アスペクト比（長径／短径）を４以上〜１０以下に設定してある。【選択図】  図２
2004221843.tif 000002
【特許請求の範囲】
【請求項１】
反射電波を計測する供試体を取付ける電波計測用支持台において、
前記支持台本体は、支持台中心軸と直交する平面で、オージャイブ断面形状となる筒状体に形成すると共に、該オージャイブ断面形状は、アスペクト比（長径／短径）を４以上に設定したことを特徴とする電波計測用支持台。
【請求項２】
前記支持台本体を、導電性材料により一体的に形成した請求項１に記載の電波計測用支持台。
【請求項３】
前記導電性材料が、炭素繊維強化プラスチック、またはガラス繊維強化プラスチックの表面に導電塗料を塗布したものである請求項２に記載の電波計測用支持台。
【請求項４】
反射電波を計測する供試体を取付ける電波計測用支持台の製造方法において、
支持台中心軸と直交する平面で、オージャイブ断面形状の対称半断面形状となる凹部または凸部を形成した一つのモールドで、繊維強化樹脂材料により偶数個の半製品を少なくとも偶数組成形し、２組の半製品の端面を突き合わせて接合させ、オージャイブ断面形状の支持台本体を一体的に成形することを特徴とする電波計測用支持台の製造方法。
【請求項５】
支持台中心軸と直交する平面で、オージャイブ断面形状の対称半断面形状となる凹部または凸部を形成したことを特徴とする電波計測用支持台の製造用モールド。
【発明の詳細な説明】
【０００１】
【発明の属する技術分野】
この発明は、電波計測用支持台、及びその支持台の製造方法及び電波計測用支持台の製造用モールドに係わり、更に詳しくは高周波領域で優れたＲＣＳ（レーダ反射断面積：Ｒａｄａｒ  Ｃｒｏｓｓ  Ｓｅｃｔｉｏｎ）特性と、十分な剛性とを備え、安価に製造することが出来る電波計測用支持台、及びその支持台の製造方法及び電波計測用支持台の製造用モールドに関するものである。
【０００２】
【従来の技術】
従来、電波計測において供試体を取付ける支持台、特にＲＣＳの測定において使用される支持台は、電波の到来方向に対する反射電波（後方散乱）が小さいことが必要であり、種々の形状の電波計測用支持台が提案されている（例えば、非特許文献１）。
【０００３】
【非特許文献１】
セキテクノトロン株式会社のホームページ〔平成１４年１０月２８日検索〕、インターネット＜ＵＲＬ：ｈｔｔｐ：／／ｗｗｗ．ｓｅｋｉｔｅｃｈ．ｃｏ．ｊｐ／ｉｎｄｅｘ．ｈｔｍｌ  ＞
【０００４】
【発明が解決しようとする課題】
例えば、テーパの付いた発泡スチロール等の低誘電体による支持台、蛇腹状の円筒発泡スチロール支持台、導体製のオージャイブ断面形状の支持台、等を挙げることが出来る。
【０００５】
上記、テーパの付いた発泡スチロール等の低誘電体による支持台及び蛇腹状の円筒発泡スチロール支持台は、安価で製作が容易であると言う利点はあるが、強度が不足するため、縮小モデル等の軽量なモデルの測定にしか供することが難しい。
【０００６】
また、一般に市販されている導体製のオージャイブ断面形状の支持台は、一般にアルミニウム等の軽金属材料により一品毎に金属加工により製造され、構造的に強度はあるが、オージャイブ断面形状に金属加工により製作するのには、多くの手間と時間がかかり、高価となる問題があった。
【０００７】
この発明はかかる従来の問題点に着目し、高周波領域で優れたＲＣＳ特性を備え、十分な剛性を備えて安価に製造することが出来る電波計測用支持台、及びその支持台の製造方法及び電波計測用支持台の製造用モールドを提供することを目的とするものである。
【０００８】
【課題を解決するための手段】
この発明は上記目的を達成するため、この発明の電波計測用支持台は、支持台本体は、支持台中心軸と直交する平面で、オージャイブ断面形状となる筒状体に形成すると共に、該オージャイブ断面形状は、アスペクト比（長径／短径）を４以上に設定したことを要旨とするものである。
【０００９】
ここで、前記支持台本体は、炭素繊維強化プラスチックまたはガラス繊維強化プラスチックに導電塗料を塗布した導電性材料により一体的に形成したものである。
【００１０】
このように、電波計測用支持台は、支持台中心軸と直交する平面で、オージャイブ断面形状となる筒状体に形成すると共に、該オージャイブ断面形状は、アスペクト比（長径／短径）を４以上に設定し、更に支持台本体を、炭素繊維強化プラスチックまたはガラス繊維強化プラスチックに導電塗料を塗布した導電性材料により一体的に形成することで、高周波領域で優れたＲＣＳ特性と、十分な剛性とを備えた電波計測用支持台とすることが出来るものである。
【００１１】
また、この発明の電波計測用支持台の製造方法は、支持台中心軸と直交する平面で、オージャイブ断面形状の対称半断面形状となる凹部または凸部を形成した一つのモールドで、繊維強化樹脂材料により偶数個の半製品を少なくとも偶数組成形し、２組の半製品の端面を突き合わせて接合させ、オージャイブ断面形状の支持台本体を一体的に成形することを要旨とするものである。
【００１２】
更に、この発明の電波計測用支持台の製造用モールドは、支持台中心軸と直交する平面で、オージャイブ断面形状の対称半断面形状となる凹部または凸部を形成したことを要旨とするものである。
【００１３】
このように、電波計測用支持台は、一つのモールドで製造出来るので高周波領域で優れたＲＣＳ特性と、十分な剛性とを備えた電波計測用支持台を安価に製造することが出来、更にモールドのコストも低減させることが可能である。
【００１４】
【発明の実施の形態】
以下、添付図面に基づき、この発明の実施形態を説明する。
【００１５】
図１は、この発明を実施した低レーダ反射断面積（ＲＣＳ）を有する電波計測用支持台の正面図を示し、１はベース２上に所定の傾斜角度α（例えば、この実施形態では３０°）に傾斜させて設置した支持台本体、３は支持台本体の上端部に取付けられた回転体または供試体の取付台を示し、Ｘは電波の到来方向を示している。
【００１６】
前記支持台本体１の構成としては、例えば、炭素繊維強化プラスチックまたはガラス繊維強化プラスチック、芳香族ポリアミド繊維、ポリエステル繊維等から選ばれた一つに、導電塗料を塗布したり、蒸着または被覆等の一つを選択して施した導電性材料により一体的に形成されるものである。
【００１７】
また支持台本体１の断面形状は、図２に示すように、支持台中心軸Ｙ−Ｙと直交する平面Ｓ−Ｓで、オージャイブ断面形状（略船型状）Ａとなる筒状体に形成すると共に、該オージャイブ断面形状Ａは、アスペクト比（長径／短径）を４以上〜１０以下に設定してある。
【００１８】
なお、アスペクト比が４未満ではＲＣＳ特性が劣ると言う問題があり、１０を超える場合には、形状，寸法等にもよるが、剛性上問題が生ずる場合がある。
【００１９】
このように、オージャイブ断面形状Ａを支持台中心軸Ｙ−Ｙと直交する平面Ｓ−Ｓで規定すると、オージャイブ断面形状Ａは、中心線Ｐ−Ｐで左右対称形状となり、後述する支持台本体１を製造するモールド４は、１面で済むこととなる。
【００２０】
因みに、従来のオージャイブ断面形状Ａｘを有する支持台本体は、電波の到来方向Ｘに対して平行な水平面Ｓａ−Ｓａで規定されていたために、図２の一点鎖線に示すように、幅（Ｈ）を等しくした場合、中心線Ｐｘ−Ｐｘはずれた位置となって非対称となり、従って、製造時のモールドとしては左右２面のモールドが必要となっていた。
【００２１】
次に、上記のような低レーダ反射断面積（ＲＣＳ）を有する支持台本体１の製造方法について説明する。
【００２２】
この発明にかかる支持台本体１は、オージャイブ断面形状Ａが支持台中心軸Ｙ−Ｙと直交する平面Ｓ−Ｓにおいて対称形状となっているため、支持台本体１を製造するモールド４としては、図３に示すように、オージャイブ断面形状Ａの対称半断面形状となる凹部５ａを形成した一対の雌型６ａと、凹部５ａに嵌合する凸部５ｂを形成した雄型６ｂとから構成される。
【００２３】
そして、支持台本体１を成形する場合には、雌型６ａの凹部５ａに、炭素繊維強化プラスチックまたはガラス繊維強化プラスチックに導電性材料から成る繊維強化樹脂シート材料を複数層敷設し、この状態で雄型６ｂの凸部５ｂを嵌合させてオーブン等に入れ硬化し、支持台本体１のオージャイブ半断面形状を形成する。このようにして、支持台本体１を構成するオージャイブ半断面形状の半製品を少なくとも偶数個成形した後、２個一組として、半製品の端面を突き合わせて接着剤等を介して接合させることにより、オージャイブ断面形状の支持台本体１を一体的に成形するのである。
【００２４】
なお、支持台本体１の導電化のための導電体塗装等は、本体の樹脂材料が硬化した後、表面仕上げを行った後に行うものである。
【００２５】
また、支持台本体１の他の製造方法としては、上記の雌型６ａの凹部５ａまたは雄型６ｂの凸部５ｂの一方に、導電性材料から成る繊維強化樹脂シート材料を複数層敷設し、そして、一方の雌型６ａまたは雄型６ｂを耐熱性を有するフィルムで包み込み、内部の空気をバキュームした状態で真空成形する方法により成形することも可能であり、製造上は雌型６ａの凹部５ａを使用して製造するのが望ましい。
【００２６】
図４は、本願発明のオージャイブ断面形状Ａと、従来のオージャイブ断面形状Ａｘとを比較実験した周波数とＲＣＳ特性との関係を示すグラフ説明図であって、このグラフ説明図から明らかなように、本願発明のように、オージャイブ断面形状Ａが対称形状の支持台本体１の方が、従来のオージャイブ断面形状Ａｘの支持台本体に比べてＲＣＳ特性が優れていることが判った。
【００２７】
【発明の効果】
この発明は、上記のように構成したので、高周波領域で優れたＲＣＳ特性を発揮すると共に、支持台本体は十分な剛性を備え、更に支持台本体はオージャイブ断面形状を対称形状に構成するため、安価に製造することが出来る効果がある。
【００２８】
また一つのモールドで支持台本体を製造出来るので、生産性の向上を図ることが出来ると共に、モールド費用も安価とすることが出来る効果がある。
【図面の簡単な説明】
【図１】この発明を実施した低レーダ反射断面積（ＲＣＳ）を有する支持台本体の正面図である。
【図２】図１の支持台中心軸Ｙ−Ｙと直交する平面Ｓ−Ｓにおける支持台本体のオージャイブ断面形状と、従来のオージャイブ断面形状の説明図である。
【図３】この発明の支持台本体を製造するモールドの斜視図である。
【図４】本願発明のオージャイブ断面形状Ａと、従来のオージャイブ断面形状Ａｘとを比較実験した周波数とＲＣＳ特性との関係を示すグラフ説明図である。
【符号の説明】
１  支持台本体                ２  ベース
３  取付台                    ４  モールド
５ａ  凹部                    ５ｂ  凸部
６ａ  雌型                    ６ｂ  雄型
α  傾斜角度                  Ｘ  電波の到来方向
Ｙ−Ｙ  支持台中心軸      Ｐ−Ｐ  中心線
Ｓ−Ｓ  支持台中心軸Ｙ−Ｙと直交する平面
Ａ  オージャイブ断面形状（略船型状）
Ａｘ  オージャイブ断面形状  Ｐｘ−Ｐｘ  中心線
【図１】
2004221843.tif 000003
【図２】
2004221843.tif 000004
【図３】
2004221843.tif 000005
【図４】
2004221843.tif 000006